(57)【特許請求の範囲】
【請求項１】
第１の電極、第２の電極および第３の電極を備えた携帯センサ装置（１）を用いて、心電図（ＥＣＧ）のデータを取得する方法であって、該方法は、
前記ＥＣＧの測定値を得るためのトリガを受信するステップ（４０）と、
前記第１の電極と前記第３の電極との間の接続を閉じ、かつ、前記第２の電極と前記第３の電極との間の接続を閉じるために、前記第１の電極と前記第３の電極との間に配置された第１のスイッチ（１２ａ）および前記第２の電極と前記第３の電極との間に配置された第２のスイッチ（１２ｂ）を導電状態に設定するステップ（４２）と、
前記第１の電極、前記第２の電極および前記第３の電極を導電的に分離するために、前記第１のスイッチ（１２ａ）および前記第２のスイッチ（１２ｂ）を遮断状態に設定するステップ（４４）と、
前記第３の電極を使用して、干渉をフィルタリングするか、または測定のためのＤＣバイアスを提供するステップと、
前記第１の電極および前記第２の電極を用いて前記ＥＣＧの測定値を捕捉するステップ（４６）と、を含む方法。
【請求項２】
前記第１のスイッチ（１２ａ）および前記第２のスイッチ（１２ｂ）を導電状態に設定するステップ（４２）が、前記第１の電極と前記第３の電極との間の接続を閉じること、および前記第２の電極と前記第３の電極との間の接続を閉じることを含み、
前記第１のスイッチ（１２ａ）および前記第２のスイッチ（１２ｂ）を遮断状態に設定するステップ（４４）が、前記第１の電極、前記第２の電極および前記第３の電極を導電的に分離することを含む、請求項１に記載の方法。
【請求項３】
前記トリガを受信するステップ（４０）が、前記携帯センサ装置（１）のユーザインターフェイス要素（４）のユーザ入力を受信することを含む、請求項１または請求項２に記載の方法。
【請求項４】
前記トリガを受信するステップ（４０）が、外部装置（７）からの信号を受信することを含む、請求項１または請求項２に記載の方法。
【請求項５】
前記測定値を捕捉するステップ（４６）が、前記第１の電極および前記第２の電極からの電気信号レベルを比較することを含む、請求項１から請求項４のいずれか一項に記載の方法。
【請求項６】
心電図（ＥＣＧ）のデータを取得する携帯センサ装置（１）であって、該携帯センサ装置（１）は、
第１の電極、第２の電極および第３の電極と、
前記第１の電極と前記第３の電極との間に配置された第１のスイッチ（１２ａ）と、
前記第２の電極と前記第３の電極との間に配置された第２のスイッチ（１２ｂ）と、
プロセッサ（６０）と、
メモリ（６４）であって、前記プロセッサによって実行されたときに、前記携帯センサ装置に、
前記ＥＣＧの測定値を得るためのトリガを受信させ、
前記第１の電極と前記第３の電極との間の接続を閉じ、かつ、前記第２の電極と前記第３の電極との間の接続を閉じるために、前記第１のスイッチ（１２ａ）および前記第２のスイッチ（１２ｂ）を導電状態に設定させ、
前記第１の電極、前記第２の電極および前記第３の電極を導電的に分離するために、前記第１のスイッチ（１２ａ）および前記第２のスイッチ（１２ｂ）を遮断状態に設定させ、
前記第３の電極を使用して、干渉をフィルタリングするか、または測定のためのＤＣバイアスを提供させ、
前記第１の電極および前記第２の電極を用いて前記ＥＣＧの測定値を捕捉させる、命令（６７）を格納するメモリ（６４）と、
を備えた、携帯センサ装置。
【請求項７】
前記第１のスイッチ（１２ａ）および前記第２のスイッチ（１２ｂ）を導電状態に設定させる命令が、前記プロセッサによって実行されたときに、前記携帯センサ装置に、前記第１の電極と前記第３の電極との間の接続を閉じさせ、かつ、前記第２の電極と前記第３の電極との間の接続を閉じさせる命令（６７）を含み、
前記第１のスイッチ（１２ａ）および前記第２のスイッチ（１２ｂ）を遮断状態に設定させる命令が、前記プロセッサによって実行されたときに、前記携帯センサ装置に、前記第１の電極、前記第２の電極および前記第３の電極を導電的に分離させる命令（６７）を含む、請求項６に記載の携帯センサ装置（１）。
【請求項８】
前記携帯センサ装置（１）がさらにユーザインターフェイス要素を備え、
前記トリガを受信させる命令が、前記プロセッサによって実行されたときに、前記携帯センサ装置に、前記ユーザインターフェイス要素（４）のユーザ入力を受信させる命令（６７）を含む、請求項６または請求項７に記載の携帯センサ装置（１）。
【請求項９】
前記ユーザインターフェイス要素（４）がプッシュボタンである、請求項８に記載の携帯センサ装置（１）。
【請求項１０】
前記トリガを受信させる命令が、前記プロセッサによって実行されたときに、前記携帯センサ装置に、外部装置（７）からの信号を受信させる命令（６７）を含む、請求項６から請求項９のいずれか一項に記載の携帯センサ装置（１）。
【請求項１１】
前記測定値を捕捉させる命令が、前記プロセッサによって実行されたときに、前記携帯センサ装置に、前記第１の電極および前記第２の電極からの電気信号レベルを比較させる命令（６７）を含む、請求項６から請求項１０のいずれか一項に記載の携帯センサ装置（１）。
【請求項１２】
前記電極が携帯センサ装置（１）に統合されている、請求項６から請求項１１のいずれか一項に記載の携帯センサ装置（１）。
【請求項１３】
第１の電極、第２の電極および第３の電極を備えた携帯センサ装置（１）を用いて、心電図（ＥＣＧ）のデータを取得するためのコンピュータプログラム（６７、９１）であって、該コンピュータプログラムは、
前記携帯センサ装置（１）を動作させたときに、該携帯センサ装置（１）に、
前記ＥＣＧの測定値を得るためのトリガを受信させ、
前記第１の電極と前記第３の電極との間の接続を閉じ、かつ、前記第２の電極と前記第３の電極との間の接続を閉じるために、前記第１の電極と前記第３の電極との間に配置された第１のスイッチ（１２ａ）および前記第２の電極と前記第３の電極との間に配置された第２のスイッチ（１２ｂ）を導電状態に設定させ、
前記第１の電極、前記第２の電極および前記第３の電極を導電的に分離するために、前記第１のスイッチ（１２ａ）および前記第２のスイッチ（１２ｂ）を遮断状態に設定させ、
前記第３の電極を使用して、干渉をフィルタリングするか、または測定のためのＤＣバイアスを提供させ、
前記第１の電極および前記第２の電極を用いて前記ＥＣＧの測定値を捕捉させる、コンピュータプログラムコードを含む、コンピュータプログラム。
【請求項１４】
請求項１３に記載のコンピュータプログラムと、
前記コンピュータプログラムが格納されているコンピュータ読み取り可能な手段と、を備えた、コンピュータプログラム製品（６４、９０）。
【発明の詳細な説明】
【技術分野】
【０００１】
本発明は、心電図（Ｅｌｅｃｔｒｏｃａｒｄｉｏｇｒａｍ：ＥＣＧ）の測定値を得るための方法、携帯センサ装置、コンピュータプログラム、およびコンピュータプログラム製品に関する。
【背景技術】
【０００２】
ＥＣＧは、患者の体によって発生する電気信号が測定され、かつ分析される確立された技術である。従来より、多くの電極が様々な場所で体に配置される。導電性ゲルは、電極と皮膚との間のより良い導電性接触を提供するために使用される。心電図をとるときには、患者は通常、数分間横たわっている。電極を使用して検出されたデータは、記録され、医師や訓練を受けた看護師などの専門家によって分析することができる。測定手順が完了すると、導電性ゲルが拭き取られる。
【０００３】
有用であることが証明されているが、心電図を得る従来の方法は、全てのケースにおいて最適なわけではない。例えば、そのような心電図は診療所で測定する必要があり、手順は患者にとって煩雑である。
【０００４】
近年，ＥＣＧデータを得るための組み込まれた電極を有する携帯センサ装置が開発されている。これらの携帯センサ装置は、自由に、また伝導性ゲルの使用なしでＥＣＧデータを捕捉することを、ユーザに可能にする。これにより、ＥＣＧデータを捕捉するタイミングをユーザがより適して制御でき、さらに便利で、より面倒でない方法において制御できる。しかし、携帯センサ装置を使用してＥＣＧデータを捕捉する場合、ＥＣＧは従来よりもはるかに短い期間で捕捉する必要がある。しかも、導電性ゲルがない場合には、体からの電気信号を電極で測定する際の状況はより困難なものとなる。
【発明の概要】
【０００５】
携帯センサ装置を使用してＥＣＧの測定値を捕捉する際の測定の問題を軽減する方法を提供することが目的である。
【０００６】
第１の態様によれば、２つの電極を備えた携帯センサ装置を用いて、心電図（ＥＣＧ）のデータを取得する方法が示される。その方法は、ＥＣＧの測定値を得るためのトリガを受信するステップと、２つの電極間の接続を閉じる（ｃｌｏｓｅ）ために、少なくとも１つのスイッチを導電状態に設定するステップと、２つの電極を導電的に分離するために、少なくとも１つのスイッチを遮断状態に設定するステップと、少なくとも２つの電極を用いてＥＣＧの測定値を捕捉するステップと、を含む。
【０００７】
携帯センサ装置が３つの電極を含み、その場合、少なくとも１つのスイッチを導電状態に設定するステップは、３つの電極間の接続を閉じることを含み、少なくとも１つのスイッチを遮断状態に設定するステップは、３つの電極を導電的に分離することを含む。
【０００８】
トリガを受信するステップは、携帯センサ装置のユーザインターフェイス要素のユーザ入力を受信することを含んでもよい。
【０００９】
トリガを受信するステップは、外部装置から信号を受信することを含んでもよい。
【００１０】
測定値を捕捉するステップは、２つの電極からの電気信号を比較することを含んでもよい。
【００１１】
第２の態様によれば、心電図（ＥＣＧ）のデータを取得するための携帯センサ装置が示される。携帯センサ装置は、２つの電極と、少なくとも１つのスイッチと、プロセッサと、命令であって、プロセッサによって実行される場合に、携帯センサ装置に、ＥＣＧの測定値を得るためのトリガを受信させ、２つの電極間の接続を閉じるために、少なくとも１つのスイッチを導電状態に設定させ、２つの電極を導電的に分離するために、少なくとも１つのスイッチを遮断状態に設定させ、少なくとも２つの電極を用いてＥＣＧの測定値を捕捉させる、命令を格納するメモリと、を備える。
【００１２】
携帯センサ装置は、３つの電極を備えてもよいし、その場合、少なくとも１つのスイッチを導電状態に設定させる命令は、プロセッサによって実行される場合に、携帯センサ装置に、３つの電極間の接続を閉じさせる命令を含み、少なくとも１つのスイッチを遮断状態に設定させる命令は、プロセッサによって実行される場合に、携帯センサ装置に、３つの電極を導電的に分離させる命令を含む。
【００１３】
携帯センサ装置は、さらにユーザインターフェイス要素を備えてもよく、その場合、トリガを受信させる命令は、プロセッサによって実行される場合に、携帯センサ装置に、ユーザインターフェイス要素のユーザ入力を受信させる命令を含む。
【００１４】
ユーザインターフェイス要素は、プッシュボタンであってもよい。
【００１５】
トリガを受信させる命令は、プロセッサによって実行される場合に、携帯センサ装置に、外部装置から信号を受信させる命令を含んでもよい。
【００１６】
測定値を捕捉させる命令は、プロセッサによって実行される場合に、携帯センサ装置に、２つの電極からの電気信号を比較させる命令を含んでもよい。
【００１７】
各電極は携帯センサ装置に組み込まれているようにしてもよい。
【００１８】
第３の態様によれば、２つの電極を備えた携帯センサ装置を用いて、心電図（ＥＣＧ）のデータを取得するためコンピュータプログラムが示される。該コンピュータプログラムは、コンピュータプログラムコードであって、携帯センサ装置を動作させる場合に、携帯センサ装置に、ＥＣＧの測定値を得るためのトリガを受信させ、２つの電極間の接続を閉じるために、少なくとも１つのスイッチを導電状態に設定させ、２つの電極を導電的に分離するために、少なくとも１つのスイッチを遮断状態に設定させ、少なくとも２つの電極を用いてＥＣＧの測定値を捕捉させる、コンピュータプログラムコードを含む。
【００１９】
第４の態様によれば、第３の態様によるコンピュータプログラムと、コンピュータプログラムが格納されているコンピュータ読み取り可能な手段と、を備えた、コンピュータプログラム製品が示される。
【００２０】
一般に、特許請求の範囲で使用されるすべての用語は、本明細書で明示的に定義されない限り、技術分野における通常の意味に従って解釈されるべきである。「１つの（ａ／ａｎ／ｔｈｅ）要素、装置、コンポーネント、手段、ステップ等」に対する全ての参照は、明示的に述べられていない限り、要素、装置、コンポーネント、手段、ステップ等の少なくとも１つの例（ｉｎｓｔａｎｃｅ）を参照するものとして公然と解釈されるべきである。本明細書に開示される任意の方法のステップは、明示的に述べられていない限り、開示されたそのままの順序で実行される必要はない。ここで、本発明を、添付の図面を参照して、例として説明する。
【図面の簡単な説明】
【００２１】
【図１】本明細書に示される実施形態が適用可能な環境を示す概略図である。
【図２】携帯センサ装置を使用してＥＣＧの測定値を捕捉する場合を示す概略図である。
【図３Ａ】一実施形態による携帯センサ装置の物理的表現を示す概略図である。
【図３Ｂ】一実施形態による携帯センサ装置の物理的表現を示す概略図である。
【図４Ａ】携帯センサ装置を使用して得られた測定値において発生する可能性のあるいくつかの問題点を示す概略的グラフである。
【図４Ｂ】携帯センサ装置を使用して得られた測定値において発生する可能性のあるいくつかの問題点を示す概略的グラフである。
【図５】３つの電極を有する一実施形態に従って図１の携帯センサ装置を示す概略図である。
【図６】２つの電極を有する一実施形態に従って図１の携帯センサ装置を示す概略図である。
【図７】一実施形態に従って図１の携帯センサ装置を用いて心電図のデータを取得する方法を示すフローチャートである。
【図８】コンピュータ読み取り可能手段を含むコンピュータプログラム製品の一例を示す図である。
【発明を実施するための形態】
【００２２】
本発明を、本発明の特定の実施形態が示されている添付の図面を参照して、以下により詳しく説明する。しかし、本発明は、多くの異なる形態で具体化され得るものであり、本明細書に記載されている実施形態に限定されるとして解釈されるべきではない。むしろ、これらの実施形態は、本開示が徹底的かつ完全となるように、かつ、本発明の範囲を当業者に十分に伝えるように、例によって提供される。本明細書を通して、同一の数字は同一の部材を示す。
【００２３】
図１は、ここで示される実施形態が適用され得る環境を示す概略図である。
【００２４】
ここでは、ネックレスストラップに携帯センサ装置１を携帯するユーザ５が示される。また、ユーザ５は、例えばポケットにスマートフォン７を携帯する。携帯センサ装置１とスマートフォン７とは、任意の適切なワイヤレスインターフェイスを介して、例えば、ブルートゥースまたはブルートゥースローエネルギー（ＢＬＥ）、ジグビー、任意のＩＥＥＥ  ８０２．１１ｘ規格（ＷｉＦｉとも呼ばれる）のいずれかを使用して通信することができる。
【００２５】
図２は、図１の携帯センサ装置１がＥＣＧの測定値を捕捉するために使用される場合を示す概略図である。ＥＣＧの測定値を捕捉するために、携帯センサ装置１は、ユーザの身体２の皮膚上に配置される。ユーザは、手３を使用して携帯センサ装置１を所定の位置に保持する。なお、測定用の自由な電極がないことに留意する。その代わりに、電極（図３Ａに示し、後述されるように）は、携帯センサ装置１に組み込まれて提供される。従って、ＥＣＧの測定値は、身体２の皮膚に接触する携帯センサ装置１を保持するユーザによって、簡単に捕捉される。
【００２６】
図３Ａと図３Ｂは、一実施形態による図１の携帯センサ装置１の物理的表現を示す概略図である。
【００２７】
図３Ａでは、携帯センサ装置１の底面図を示す。第１電極１０ａ、第２電極１０ｂおよび第３電極１０ｃが存在する。電極１０ａ〜１０ｃは、ユーザが携帯センサ装置１を皮膚２上に置くとき、すべての電極１０ａ〜１０ｃが皮膚２に接触するように、携帯センサ装置１のケーシング上に配置されている。なお、携帯センサ装置１は、２つの電極、４つの電極または他の任意の適切な数の電極を備えることができることに留意されたい。
【００２８】
任意に、携帯センサ装置１は、電子聴診器（図示せず）を含むこともできる。
【００２９】
図３Ｂでは、携帯センサ装置１の上面図を示す。ここでは、プッシュボタンの形をしたユーザインターフェイス要素４が示されている。プッシュボタンは、例えば、測定を開始するタイミングを示すためにユーザが使用することができる。例えば、より多くのプッシュボタン、発光ダイオード（ＬＥＤ）、ディスプレイ、スピーカー、マイクなどの、他のユーザインターフェイス要素（図示せず）を提供することができることに留意されたい。
【００３０】
図４Ａ、図４Ｂは、携帯センサ装置を用いて得られた測定で発生する可能性のあるいくつかの問題を示す概略的なグラフである。横軸は時間を表し、縦軸は携帯センサ装置によって捕捉された信号レベルを表し、例えば電圧として表す。
【００３１】
最初に図４Ａを見ると、携帯センサ装置によって捕捉された信号２０が示されている。時刻０において測定が開始される。信号２０の一部を形成する再発セクション２１が存在する。再発セクション２１は、ユーザの心拍の結果であり、それらはＥＣＧ分析のために関心のある信号である。しかしながら、再発セクション２１は、時間の経過とともに減少するはるかに大きなバイアスを含む全信号２０の一部を形成する。バイアスは、電極と皮膚の間の界面における電極の分極によるものである。バイアスが消散するのにかかる時間２５は重要である。場合によっては、この時間が約３０秒に測定された。
【００３２】
図４Ｂを見ると、別のアーチファクト２２が示されている。このアーチファクト２２は、皮膚に対する携帯センサ装置１の機械的な動きによるものである。
【００３３】
結論として、所望の再発信号２１と比較して、バイアスおよび機械的アーチファクト２２は、所望信号を抽出することを困難にする。
【００３４】
図５は、３つの電極１０ａ〜１０ｃを有する一実施形態に係る図１の携帯センサ装置１を示す概略図である。第１電極１０ａからの出力信号は、増幅器１４の第１入力に供給される。第２電極１０ｂからの出力信号は、増幅器１４の第２入力に供給される。測定段階において、次いで、増幅器１４は、ＥＣＧの測定値として使用される電気信号を得るために使用される。さらに、第３電極１０ｃがあり、干渉（例えばメイングリッド（ｍａｉｎ  ｇｒｉｄ）から）をフィルタリングし、測定に適したＤＣバイアスを提供するために使用することができる。
【００３５】
携帯センサ装置１は、また、第１スイッチ１２ａおよび第２スイッチ１２ｂを含む。第１スイッチ１２ａは、第１電極１０ａと第３電極１０ｃとの間に設けられている。第２スイッチ１２ｂは、第２電極１０ｂと第３電極１０ｃとの間に設けられている。プロセッサ６０は、スイッチ１２ａ、１２ｂの状態を制御する。スイッチ１２ａ、１２ｂは、導電または遮断状態であることを制御することができる任意の適切な装置を使用して実施される。例えば、スイッチは、任意の適切なトランジスタまたは他の半導体装置を使用して実施することができる。
【００３６】
プロセッサ６０は、適切な中央処理装置（ＣＰＵ）、マルチプロセッサ、マイクロコントローラ、デジタル信号プロセッサ（ＤＳＰ）、特定用途向け集積回路等のうちの任意の１つ以上の組み合わせを使用して提供することができる。ソフトウェアを実行することができる命令６７は、メモリ６４に格納されており、したがって、メモリ６４は、コンピュータプログラム製品であり得る。プロセッサ６０は、以下の図７を参照して説明する方法を実行するように構成することができる。
【００３７】
メモリ６４は、読み取り／書き込みメモリ（ＲＡＭ）と読み取り専用メモリ（ＲＯＭ）との任意の組み合わせであり得る。メモリ６４は、また、永続的なメモリを含み、例えば、磁気メモリ、光メモリ、ソリッドステートメモリ、または離れて設けられたメモリのうちの、任意の単一または組み合わせであり得る。
【００３８】
また、データメモリ６６は、プロセッサ６０におけるソフトウェア命令の実行中にデータを読み取りまたは保存するために設けられている。例えば、データメモリ６６は、デジタル化された測定値を格納することができる。データメモリ６６は、読み取り／書き込みメモリ（ＲＡＭ）と読み取り専用メモリ（ＲＯＭ）との任意の組み合わせであり得る。
【００３９】
携帯センサ装置１は、さらに、図１のスマートフォン７などの他の外部エンティティと通信するためのＩ／Ｏインターフェイス６２を備える。Ｉ／Ｏインターフェイス６２は、例えば、ブルートゥースまたはブルートゥースローエネルギー（ＢＬＥ）、ジグビー、任意のＩＥＥＥ  ８０２．１１ｘ規格（ＷｉＦｉとも呼ばれる）等のうちの、任意の１つ以上をサポートすることができる。Ｉ／Ｏインターフェイス６２は、オプションで、ユニバーサルシリアルバス（ＵＳＢ）、ファイアワイヤー等の有線インターフェイスを含む。
【００４０】
例えば、図３Ｂに示すようにプッシュボタンを使用するなど、ユーザインターフェイス４も提供される。任意に、ユーザインターフェイス４は、他のユーザインターフェイス要素、例えば、より多くのプッシュボタン、発光ダイオード（ＬＥＤ）、ディスプレイ、スピーカー、マイク等を含む。
【００４１】
アナログ−デジタル（Ａ／Ｄ）コンバータのような、携帯センサ装置１の他の部品は、本明細書に示される概念をあいまいにしないように省略される。
【００４２】
測定が行われる場合、制御ユニット６０は、第１スイッチ１２ａと第２スイッチの両方を導電状態に設定する（すなわちスイッチ１２ａ、１２ｂを閉じる）。この場合、３つの電極１０ａ〜１０ｃの電圧レベルが等しくなる。電圧レベルが等化されると、スイッチ１２ａ、１２ｂは再び遮断状態に設定され、その後ＥＣＧの測定値を捕捉できる。
【００４３】
測定前に電極の電圧を等しくすることで、図４Ａと図４Ｂに示す負の影響が大幅に低減されることが見いだされた。したがって、測定信号からの所望信号が抽出されやすく、それは、ＥＣＧの測定値に基づいてユーザの状態のよりよい分析につながる。
【００４４】
図６は、２つの電極を用いた一実施形態に係る図１の携帯センサ装置１を示す概略図である。携帯センサ装置１は図５と同様であり、図５の実施形態との違いのみを説明する。
【００４５】
ここでは、第１電極１０ａと第２電極１０ｂとの間に設けられているスイッチ１２は１つしかない。スイッチは、図５の２つのスイッチ１２ａ、１２ｂについて上述されたのと同様に制御される。
【００４６】
図６の実施形態は、２つの電極のみを有することにより、図５のものよりも単純で低コストの構造である。しかし、これは、上記で説明した第３電極の利点を提供することができないという代償を伴う。
【００４７】
図７は、一実施形態に係る図１の携帯センサ装置を用いて心電図のデータを取得する方法を示すフローチャートである。
【００４８】
トリガを受信するステップ４０において、ＥＣＧの測定値を得るためのトリガが受信される。トリガは、携帯センサ装置のユーザインターフェイス要素（例えば図３Ｂの押しボタン４）のユーザ入力の形態とすることができる。代替として、トリガは、図１のスマートフォン７などの外部装置から受信した信号の形態とすることができる。
【００４９】
接続を閉じるステップ４２では、２つの電極間の接続を閉じるために、少なくとも１つのスイッチが導電状態に設定される。携帯センサ装置１が３つの電極を備える場合、例えば図５に示すように、このステップは、３つの電極間の接続を閉じることを含む。電極間の接続を閉じることにより、電極の電圧がすべて等化され、すなわち、それらはすべて同じ電圧レベルを得られ、それは、上述した図４Ａと図４Ｂに示すアーチファクトのリスクを低減する。
【００５０】
電極を分離するステップ４４では、少なくとも１つのスイッチが２つの電極を導電的に分離する遮断状態に設定される。携帯センサ装置１が３つの電極を備える場合、例えば図５に示すように、このステップは、３つの電極すべてを導電的に分離することを含む。測定が行われるには、電極を導電的に分離する必要がある。
【００５１】
測定するステップ４６では、少なくとも２つの電極を用いて心電図の測定値が捕捉される。測定値は、例えば、図５および図６に示すように、２つの電極からの電気信号を比較することによって捕捉され、上述した。測定値が記録されると、これらは図１のスマートフォン７などの外部装置に提供することができる。測定値は、段階的に、またはバッチで提供することができる。
【００５２】
図８は、コンピュータ読み取り可能手段を備えたコンピュータプログラム製品の一例を示す。このコンピュータ読み取り可能手段上に、本明細書に記載される実施形態に従った方法を実行させることが可能であるコンピュータプログラム９１が格納されている。この例では、コンピュータプログラム製品は、ＣＤ（コンパクト・ディスク）やＤＶＤ（デジタル汎用性の高いディスク）やブルーレイ・ディスクなどの光ディスクである。上述したように、コンピュータプログラム製品は、図５および６のコンピュータプログラム製品６４などの、装置のメモリに具体化することもできる。コンピュータプログラム９１は、ここでは、図示された光ディスク上のトラックとして概略的に示されているが、コンピュータプログラムは、取り外し可能なソリッドステートメモリ（例えばユニバーサルシリアルバス（ＵＳＢ）ドライブなど、コンピュータプログラム製品に適した任意の方法で格納することができる。
【００５３】
本発明を、主にいくつかの実施形態を参照して上述した。しかしながら、当業者にとって容易に理解されるように、上記に開示されたもの以外の実施形態が、添付された特許請求の範囲によって定義される発明の範囲内で、等しく可能である。
【図１】
0006814896.tif 000002
【図２】
0006814896.tif 000003
【図３Ａ】
0006814896.tif 000004
【図３Ｂ】
0006814896.tif 000005
【図４Ａ】
0006814896.tif 000006
【図４Ｂ】
0006814896.tif 000007
【図５】
0006814896.tif 000008
【図６】
0006814896.tif 000009
【図７】
0006814896.tif 000010
【図８】
0006814896.tif 000011